(57)【要約】      （修正有）【課題】電気、ガス、水道などの使用量を計測し流量データなどを出力するメータ装置を接続する接続端子を有している無線伝送装置において、その接続端子の接続状態を確認でき、また、その接続端子が複数ある場合の接続方法や誤接続を報知する無線伝送装置を提供する。【解決手段】無線伝送装置に表示部４０３を設け、端末接続部の接続状態や接続端子の種類、接続方法、誤接続報知などを行う。【選択図】図３
2010226568.tif 000002
【特許請求の範囲】
【請求項１】
電気、ガス、水道などの使用量を計測し流量データなどを出力するメータ装置を接続する複数の接続端子と種々の情報を表示する表示部を備え、前記表示部に複数の接続端子の区分が分かる内容を表示することを特徴とする無線伝送装置。
【請求項２】
電気、ガス、水道などの使用量を計測し流量データなどを出力するメータ装置を接続する複数の接続端子と種々の情報を表示する表示部を備え、前記表示部に通信端末との接続情報を表示することを特徴とする無線伝送装置。
【請求項３】
電気、ガス、水道などの使用量を計測し流量データなどを出力するメータ装置を接続する複数の接続端子と種々の情報を表示する表示部を備え、前記表示部に通信端末との接続方法を表示することを特徴とする無線伝送装置。
【請求項４】
電気、ガス、水道などの使用量を計測し流量データなどを出力するメータ装置を接続する複数の接続端子と種々の情報を表示する表示部を備え、前記メータ装置からの流量データの周波数をカウントし規定周波数と異なる場合、接続間違いと判定する判定部を備え、前記表示部に接続間違い（以下誤接続）の報知をすることを特徴とする無線伝送装置。
【請求項５】
電気、ガス、水道などの使用量を計測し流量データなどを出力するメータ装置を接続する複数の接続端子と種々の情報を表示する表示部を備え、前記メータ装置からの流量データの電圧レベルが規定の電圧値以上の場合、接続間違いと判定する判定部を備え、前記表示部に接続間違い（以下誤接続）の報知をすることを特徴とする無線伝送装置。
【請求項６】
電気、ガス、水道などの使用量を計測し流量データなどを出力するメータ装置を接続する複数の接続端子と種々の情報を表示する表示部を備え、前記メータ装置からの流量データの電圧レベルが規定の電圧値以下の場合、誤接続と判定する判定部を備え、前記表示部に誤接続の報知をすることを特徴とする無線伝送装置。
【請求項７】
電気、ガス、水道などの使用量を計測し流量データなどを出力するメータ装置を接続する複数の接続端子と種々の情報を表示する表示部を備え、前記表示部に誤接続の場合の回避方法を表示することを特徴とする無線伝送装置。
【発明の詳細な説明】
【技術分野】
【０００１】
本発明は、電気、ガス、水道などの使用量を測定するメータ装置に接続され、その流量情報を基地局等へ無線送信する無線伝送装置に関するものである。
【背景技術】
【０００２】
従来、この種の無線伝送装置は、メータにより計測されたガス流量やその他情報を無線送信するだけのものであった（例えば、特許文献１参照）。
【特許文献１】特開平０８−０７９８５４号公報
【発明の開示】
【発明が解決しようとする課題】
【０００３】
ところで、従来上記無線伝送装置には、メータ装置などを接続する接続端子を有しているが、その接続状態を無線伝送装置で確認できる手段がないため端末接続時の作業効率が悪くなり、また作業の確実性も低くなりやすい。
【０００４】
また、その接続端子が複数ある場合の接続方法や誤接続時の報知手段もない。
【０００５】
そこで、本発明は上記課題を解決するもので、端末接続時の作業効率良くし、作業の確実性を向上させる無線伝送装置を提供するものである。
【課題を解決するための手段】
【０００６】
前記従来の課題を解決するために、本発明の無線伝送装置は、端末接続部の接続状態や接続端子の種類、接続方法、誤接続報知などを行う表示部を設けていることを特徴とするものである。
【０００７】
これにより、無線伝送装置への端末接続時において、作業効率を良くし、作業の確実性を向上させることができる。
【発明の効果】
【０００８】
本発明の無線伝送装置は、端末接続部の接続状態や接続端子の種類、接続方法、誤接続報知などを行う表示部を備えることで、作業効率を良くし、作業の確実性を向上させることができる。
【発明を実施するための最良の形態】
【０００９】
第１の発明は、電気、ガス、水道などの使用量を計測し流量データなどを出力するメータ装置を接続する複数の接続端子と種々の情報を表示する表示部を備えており、前記表示部に複数の接続端子の区分が分かる内容を表示することができる特徴を有する無線伝送装置である。
【００１０】
これによって、無線伝送装置への端末接続時において、どの接続端子がどの用途のものなのかが認識でき、作業効率を良くし、作業の確実性を向上させることができる。
【００１１】
第２の発明は、電気、ガス、水道などの使用量を計測し流量データなどを出力するメータ装置を接続する複数の接続端子と種々の情報を表示する表示部を備えており、前記表示部に通信端末との接続方法を表示することができる特徴を有する無線伝送装置である。
【００１２】
これによって、無線伝送装置への端末接続時において、接続状態が理解でき、作業効率
を良くし、作業の確実性を向上させることができる。
【００１３】
第３の発明は、電気、ガス、水道などの使用量を計測し流量データなどを出力するメータ装置を接続する複数の接続端子と種々の情報を表示する表示部を備え、前記表示部に通信端末との接続方法を表示することができる特徴を有する無線伝送装置である。
【００１４】
これによって、無線伝送装置への端末接続時において、接続方法が理解でき、作業効率を良くし、作業の確実性を向上させることができる。
【００１５】
第４の発明は、電気、ガス、水道などの使用量を計測し流量データなどを出力するメータ装置を接続する複数の接続端子と種々の情報を表示する表示部を備え、前記メータ装置からの流量データの周波数をカウントし規定周波数と異なる場合、接続間違いと判定する判定部を備え、前記表示部に接続間違い（以下誤接続）の報知をすることができる特徴を有する無線伝送装置である。
【００１６】
これによって、無線伝送装置への端末接続時において、誤接続であることが理解でき、作業効率を良くし、作業の確実性を向上させることができる。
【００１７】
第５の発明は、電気、ガス、水道などの使用量を計測し流量データなどを出力するメータ装置を接続する複数の接続端子と種々の情報を表示する表示部を備え、前記メータ装置からの流量データの電圧レベルが規定の電圧値以上の場合、接続間違いと判定する判定部を備え、前記表示部に接続間違い（以下誤接続）の報知をすることができる特徴を有する無線伝送装置である。
【００１８】
これによって、無線伝送装置への端末接続時において、誤接続であることが理解でき、作業効率を良くし、作業の確実性を向上させることができる。
【００１９】
第６の発明は、電気、ガス、水道などの使用量を計測し流量データなどを出力するメータ装置を接続する複数の接続端子と種々の情報を表示する表示部を備え、前記メータ装置からの流量データの電圧レベルが規定の電圧値以下の場合、接続間違いと判定する判定部を備え、前記表示部に接続間違い（以下誤接続）の報知をすることができる特徴を有する無線伝送装置である。
【００２０】
これによって、無線伝送装置への端末接続時において、誤接続であることが理解でき、作業効率を良くし、作業の確実性を向上させることができる。
【００２１】
第７の発明は、電気、ガス、水道などの使用量を計測し流量データなどを出力するメータ装置を接続する複数の接続端子と種々の情報を表示する表示部を備え、前記表示部に誤接続の場合の回避方法を表示することができる特徴を有する無線伝送装置である。
【００２２】
これによって、無線伝送装置への端末接続時において、誤接続時の回避方法が理解でき、作業効率を良くし、作業の確実性を向上させることができる。
【００２３】
以下、本発明の実施の形態について、図面を参照しながら説明する。なお、この実施の形態によって本発明が限定されるものではない。
【００２４】
（実施の形態）
図１は、本発明の実施の形態における無線伝送装置を用いたシステム構成を示す図である。図１において本システム構成は、検針データ等を収集するための管理システムであるガス事業者管理センター１００と、このガス事業者管理センター１００と公衆電話回線網
などにより接続された基地局２００、および無線回線により基地局２００と通信を行う無線伝送装置４００、ガスメータ装置３００により構成されている。
【００２５】
次に、図２を用いて無線伝送装置４００の内部構造を説明する。無線伝送装置４００には無線通信部４０１が備えられており、基地局等と無線通信を行う。また、種々データを処理する制御装置４０２、液晶などで構成される表示部４０３を備え種々の情報を確認することができる。さらに、メータ装置などと接続する接続端子部４０４を備える。
【００２６】
次に、図３〜７を用いて表示部４０３の表示内容について説明する。
【００２７】
図３の場合、表示部４０３に接続端子部４０４の区別が分かる表示４０５を行うことができる。
【００２８】
図４の場合、表示部４０３に接続端子部４０４への端末接続の状態が表示４０６される。ここでは、その一例として、接続されている端子部の表示が点灯表示４０６となっている。
【００２９】
図５の場合、表示部４０３に接続端子部４０４への端末接続の方法が表示４０５される。ここでは、その一例として、文字による説明文４０５が表示されている。
【００３０】
図６の場合、表示部４０３に接続端子部４０４の誤接続の状態が表示される。ここでは、その一例として、違う機能の端子部に端末を間違えて接続したことにより、その端子部の表示が点滅４０８し報知をしている。
【００３１】
図７の場合、表示部４０３に接続端子部４０４への端末誤接続回避の方法が表示４０９される。ここでは、その一例として、文字による説明文４０９が表示されている。
【００３２】
図８は接続端子４０４への接続状態の判定フローチャートである（ここでは一例として、周波数での判定および誤接続注意の場合を記載）。
【産業上の利用可能性】
【００３３】
以上のように、本発明にかかる無線伝送装置は、端末接続部の接続状態や接続端子の種類、接続方法、誤接続報知などを行う表示部を設けていることで、端末接続時において、作業効率を良くし、作業の確実性を向上させることができる。
【図面の簡単な説明】
【００３４】
【図１】本実施の形態の無線伝送装置を用いたシステム図
【図２】本実施の形態の無線伝送装置の構成図
【図３】本実施の形態の無線伝送装置の表示部の表示例を示す図
【図４】本実施の形態の無線伝送装置の表示部の表示例を示す図
【図５】本実施の形態の無線伝送装置の表示部の表示例を示す図
【図６】本実施の形態の無線伝送装置の表示部の表示例を示す図
【図７】本実施の形態の無線伝送装置の表示部の表示例を示す図
【図８】本実施の形態の無線伝送装置のフロー図
【符号の説明】
【００３５】
１００  ガス事業者管理センター
２００  基地局
３００  ガスメータ装置
４００  無線伝送装置
４０１  無線通信部
４０２  制御装置
４０３  表示部
４０４  接続端子部
４０５  表示例（接続端子表示）
４０６  表示例（点灯表示）
４０７  表示例（接続方法表示）
４０８  表示例（点滅表示）
４０９  表示例（回避表示）
【図２】
2010226568.tif 000003
【図３】
2010226568.tif 000004
【図８】
2010226568.tif 000005
【図１】
2010226568.tif 000006
【図４】
2010226568.tif 000007
【図５】
2010226568.tif 000008
【図６】
2010226568.tif 000009
【図７】
2010226568.tif 000010